(57)【要約】  【課題】梁の高さ調整を容易に行うことができる門型を提供する。  【解決手段】梁に吊り上げ機を取り付け、重量物を吊り上げるようにした門型において、門型の下部にレバーブロックを取り付けるための取付部を設け、左右の外柱の上部に、ワイヤなどの屈曲自在な細長状部材を屈曲方向に案内するガイドプーリを設け、左右の外柱と昇降自在な左右の中柱との間に屈曲自在な細長状部材を配置し、該細長状部材の一端を左右の中柱の下部に連結し、この細長状部材の他方をガイドプーリを経て外部に配置し、この細長状部材の他端と門型下部の取付部との間にレバーブロックを取り付け可能とする。これにより、梁を、レバーブロックのレバー操作により安全且つ容易に昇降させることができる。【選択図】  図１
2008075413.tif 000002
【特許請求の範囲】
【請求項１】
左右に配置された下部ベース８，１０と、該下部ベース８，１０に立設された外柱４，６と、該外柱４，６に昇降自在に嵌挿配置された中柱２２，２４と、前記外柱４，６と中柱２２，２４に形成されたピン穴４８，４６とこれに挿入可能なピンとから成り前記中柱２２，２４を前記ピン穴４８，４６で規定された任意の高さ調整位置で前記外柱４，６に脱着可能に係止するための係止機構と、前記中柱２２，２４の上端に水平に架設された梁２８とを備え、前記梁２８に吊り上げ機を取り付け、重量物５２を吊り上げるようにした門型であって、前記門型の下部の左右側にそれぞれレバーブロック３６を取り付けるための取付部３４を設け、前記左右の外柱４，６の上部に、ワイヤなどの屈曲自在な細長状部材４２を屈曲方向に案内する案内部４０を設け、前記外柱４，６とこれに挿入された前記中柱２２，２４との間に屈曲自在な細長状部材４２を配置し、該細長状部材４２の各一端をそれぞれ対応する前記左右の中柱２２，２４の下部に連結し、前記細長状部材４２の他方を前記案内部４０を経て外部に配置し、該細長状部材４２の他端と前記取付部３４との間にレバーブロック３６を取り付け可能としたことを特徴とする門型。
【請求項２】
前記中柱２２，２４を、それぞれ互いに接合する一対の断面形状が略Ｄ型の中空パイプＰ１，Ｐ２により構成し、該中空パイプＰ１，Ｐ２の前記外柱４，６と対向する壁面に前記細長状部材４２を通す溝２６を形成したことを特徴とする請求項１に記載の門型。
【請求項３】
前記下部ベース８，１０の両端近傍に搬送ローラ取り付け用のピン穴４８を設け、前記下部ベース８，１０の両端近傍の下面に方向変換自在な搬送ローラ５０を脱着可能に取り付けたことを特徴とする請求項１に記載の門型。
【発明の詳細な説明】
【技術分野】
【０００１】
本発明は、重量物を吊るときに使用する門型に関する。
【背景技術】
【０００２】
従来、クレーン車等が入れない室内等において、重量物を吊るときに使用する機材として門型が知られている（例えば特許文献１参照）。
【特許文献１】特開２００４−７５３５５号公報
【発明の開示】
【発明が解決しようとする課題】
【０００３】
従来、門型は、重量物を吊り上げる作業の前に、梁を室内の天井の高さに合わせて高さ調整を行っている。この梁の高さ調整作業は、大勢の作業者が人力で梁を持ち上げ、高さを合わせたところで外柱と中柱の貫通穴にピンを挿入して中柱を選択した高さで外柱に係止するものであるが、容易な作業ではなかった。
本発明は上記問題点を解決することを目的とするものである。
【課題を解決するための手段】
【０００４】
上記目的を達成するため本発明は、左右に配置された下部ベース８，１０と、該下部ベース８，１０に立設された外柱４，６と、該外柱４，６に昇降自在に嵌挿配置された中柱２２，２４と、前記外柱４，６と中柱２２，２４に形成されたピン穴４８，４６とこれに挿入可能なピンとから成り前記中柱２２，２４を前記ピン穴４８，４６で規定された任意の高さ調整位置で前記外柱４，６に脱着可能に係止するための係止機構と、前記中柱２２，２４の上端に水平に架設された梁２８とを備え、前記梁２８に吊り上げ機を取り付け、重量物５２を吊り上げるようにした門型であって、前記門型の下部の左右側にそれぞれレバーブロック３６を取り付けるための取付部３４を設け、前記左右の外柱４，６の上部に、ワイヤなどの屈曲自在な細長状部材４２を屈曲方向に案内する案内部４０を設け、前記外柱４，６とこれに挿入された前記中柱２２，２４との間に屈曲自在な細長状部材４２を配置し、該細長状部材４２の各一端をそれぞれ対応する前記左右の中柱２２，２４の下部に連結し、前記細長状部材４２の他方を前記案内部４０を経て外部に配置し、該細長状部材４２の他端と前記取付部３４との間にレバーブロック３６を取り付け可能としたことを特徴とするものである。
また本発明は、前記中柱２２，２４を、それぞれ互いに接合する一対の断面形状が略Ｄ型の中空パイプＰ１，Ｐ２により構成し、該中空パイプＰ１，Ｐ２の前記外柱４，６と対向する壁面に前記細長状部材４２を通す溝２６を形成したことを特徴とするものである。
また本発明は、前記下部ベース８，１０の両端近傍に搬送ローラ取り付け用のピン穴４８を設け、前記下部ベース８，１０の両端近傍の下面に方向変換自在な搬送ローラ５０を脱着可能に取り付けたことを特徴とするものである。
【発明の効果】
【０００５】
本発明は、門型の梁の高さ調整を少ない労力で安全確実に行うことができる。
【発明を実施するための最良の形態】
【０００６】
以下に、本発明の実施の形態を添付した図面を参照して詳細に説明する。
図１は本発明に係る門型の全体の外観図を示している。門型２は、左右に中空の外柱４，６が配置され、各外柱４，６の下端は、下部ベース８，１０に固着されている。下部ベース８，１０の下面両端には搬送ローラ１２が配置されている。
【０００７】
前記外柱４，６には、補強用の一対の脚体１６，１８と２０，２２が配置され、脚体１４，１６と１８，２０はそれぞれ対応する外柱４，６の上部に固着され、各他端は、それぞれ対応する下部ベース８，１０に固着されている。前記外柱４，６にはそれぞれ中柱２２，２４がスライド自在に嵌挿配置されている。
【０００８】
前記中柱２２，２４は、図６に示すように、それぞれ一対の断面Ｄ型の鉄などの金属製の中空パイプＰ１，Ｐ２から構成され、一対の中空パイプＰ１，Ｐ２は、線対称で対向配置され、互いの対向する幅狭部が溶着されている。前記中柱２２，２４には、それぞれ長手方向に沿って両側面にＶ溝が形成され、該Ｖ溝によって前記外柱４，６の内壁面と中柱２２，２４の外壁面との間にワイヤ配置用の隙間からなる溝２６がそれぞれ形成されている。
【０００９】
前記中柱２２，２４の上端間には、Ｈ型鋼からなる梁２８が架設され、該梁２８の略中央部の取付部３０には、チェンブロック３２が取り付けられている。前記下部ベース８，１０のそれぞれの一方端には、ワイヤなどの屈曲自在型細長状部材を取り付けるための取付部３４が固設され、該取付部３４にレバーブロック３６のワイヤ、ワイヤロープ、チェンなどの屈曲自在な細長状部材３８の一方がフックを介して連結している。
【００１０】
尚、前記取付部３４の取り付け場所は、門型２の下部であればどこでも良く、特に下部ベース８，１０の端部に限定されるものではなく、脚体１４，１６，１８，２０の適所あるいは外柱４，６側に取り付けることが可能である。前記中柱２２，２４の各上部には、ガイドプーリからなる案内部４０が回転自在に取り付けられている。
【００１１】
前記案内部４０には、ワイヤなどの屈曲自在な細長状部材４２が掛けられ、該細長状部材４２の各一方は、前記レバーブロック３６の本体３６ａにフックを介して連結し、前記細長状部材４２の各他方は、前記中柱２２，２４の溝２６を経て、図２に示すように、該中柱２２，２４の下端に固設された軸体４４に連結している。前記中柱２２，２４には、図４，５に示すように、所定のピッチで複数の貫通孔からなるピン穴４６が穿設されている。
【００１２】
また、外柱４，６の上部には、所定の間隔を存して、複数の貫通孔からなるピン穴４８が穿設されている。前記中柱２２，２４側の１つのピン穴４６と外柱４，６側の１つのピン穴４８を合わせ、該合わせたピン穴４６，４８にピンを差し込むことで中柱２２，２４を、外柱４，６に係止できるように構成されている。
【００１３】
前記下部ベース８，１０の両端近傍には、搬送ローラ取付用のピン穴４８が穿設されている。前記下部ベース８，１０の両端近傍の下面には搬送ローラ５０が配置され、該搬送ローラ５０は、前記ピン穴４８に挿入されたピンによって前記下部ベース８，１０の両端近傍の下面に方向変換自在に装着されている。
【００１４】
上記した構成において、重量物５２を吊って作業を行う前に、チェンブロック３２を梁２８の取付部３０に掛ける。次に、作業場の天井の高さに合わせて、梁２８の高さの調整を行う。この高さ調整は、ピン穴４６，４８からピンを抜いた状態において、２名の作業者が門型２の左右のレバーブロック３６のレバーを手動操作して、細長状部材３８をレバーブロック３６の本体３６ａに巻き込みあるいは繰り出して、中柱２２，２４を外柱４，６に対して昇降させる。
【００１５】
適宜な高さで、中柱２２，２４側のピン穴４６，４８を外柱４，６側のピン穴４８の１つに合わせ、該ピン穴４６，４８にピン（図示省略）を差し込むことで、梁２８の高さ調整が完了する。本実施形態では、外柱４，６の２個のピン穴４８は２００ｍｍ間隔、中柱２２，２４側のピン穴４６の間隔は３００ｍｍに設定してあるので、１００ｍｍ間隔で梁２８の高さの調整を行うことができる。
【００１６】
中柱２２，２４昇降用のワイヤなどの細長状部材４２は、中柱２２，２４の溝２６内に配置されているため、外柱４，６の内壁面と干渉することなく、中柱２２，２４は、レバーブロック３６のレバー操作により、スムーズに外柱４，６に沿って昇降する。
【００１７】
本実施形態では、門型２の左右の外柱４，６に、中柱２２，２４を昇降させるためのレバーブロック３６が取り付けられている。そのため、中柱２２，２４の昇降を２名の作業者で安全に行うことができる。また、作業の途中で、梁にチェンブロックを付けたまま、２名の作業者で梁の高さ調整を安全に且つ楽に行うことができる。
【００１８】
また、本実施形態では、中柱２２，２４は、断面略Ｄ型形状の金属製の中空パイプＰ１，Ｐ２を２つ重ねているので、軽量の割には強度の高い構造となっている。また、下部ベース８，１０に搬送ローラ取り付け用のピン穴４８を設けてあるので、門型２下部に搬送ローラ５０を搬送方向を任意に変換可能に取り付けることができる。そのため、門型２を任意の方向に容易に動かすことができる。
【図面の簡単な説明】
【００１９】
【図１】本発明に係る門型の全体外観説明図である。
【図２】門型の側面図である。
【図３】外柱の正面図である。
【図４】中柱の正面図である。
【図５】中柱の側面図である。
【図６】門型の一部の平面図である。
【符号の説明】
【００２０】
２      門型
４      外柱
６      外柱
８      下部ベース
１０    下部ベース
１２    搬送ローラ
１４    脚体
１６    脚体
１８    脚体
２０    脚体
２２    中柱
２４    中柱
２６    溝
２８    梁
３０    取付部
３２    チェンブロック
３４    取付部
３６    レバーブロック
３６ａ  本体
３８    細長状部材
４０    案内部
４２    細長状部材
４４    軸体
４６    ピン穴
４８    ピン穴
５０    搬送ローラ
５２    重量物
【図１】
2008075413.tif 000003
【図２】
2008075413.tif 000004
【図３】
2008075413.tif 000005
【図４】
2008075413.tif 000006
【図５】
2008075413.tif 000007
【図６】
2008075413.tif 000008